(57)【要約】    【課題】係止部の突出量の設定の自由度を向上し、安定して多段に積み重ねることを可能とする。    【解決手段】  底壁２の外周縁に、外板部５Ａ，５Ｂ、外板部５Ａ，５Ｂに連設した上板部６Ａ，６Ｂおよび上板部６Ａ，６Ｂに連設した内板部７Ａ，７Ｂからなる二重構造の外周壁４Ａ，４Ｂを設けるとともに、外周壁４Ｂの所定位置に、外板部５Ｂから内板部７Ｂにかけて延びる一対の切断線２１，２１を設け、これら切断線２１，２１の間に上板部６Ｂより上方に突出する係止部２０を設ける一方、底壁２に係止部２０と対応する係止孔３Ｂを設けたスタッキングトレイにおいて、係止部２０に切起用の切断線２３を設け、係止部２０に上向きに延びる係止用切起部２４を更に設ける。【選択図】図１
2005170419.tif 000002
【特許請求の範囲】
【請求項１】
底壁の外周縁に、外板部、該外板部に連設した上板部および該上板部に連設した内板部からなる二重構造の外周壁を設けるとともに、該外周壁の所定位置に、前記外板部から内板部にかけて延びる一対の切断線を設け、これら切断線の間に前記上板部より上方に突出する係止部を設ける一方、前記底壁に前記係止部と対応する係止孔を設けたスタッキングトレイにおいて、
前記係止部に切起用の切断線を設け、該係止部に上向きに延びる係止用切起部を更に設けたことを特徴とするスタッキングトレイ。
【発明の詳細な説明】
【技術分野】
【０００１】
本発明は、野菜や果実などの保管や運搬に使用する多段積み可能なスタッキングトレイに関するものである。
【背景技術】
【０００２】
本発明のスタッキングトレイに関連する先行技術文献情報としては次のものがある。
【０００３】
【特許文献１】実開平６−７８２４２号公報
【０００４】
この特許文献１に記載のスタッキングトレイは、図７から図９に示すように、矩形状をなす底壁２の外周縁に、二重構造をなす外周壁４Ａ，４Ｂが設けられている。また、前記外周壁４Ａ，４Ｂには、上向きに突出する係止部１２が設けられる一方、前記底壁２に前記係止部１２と対応する係止孔３Ｂが設けられ、複数のスタッキングトレイを多段に積み上げることが可能とされている。
【０００５】
具体的には、このスタッキングトレイは、段ボール紙などを一枚のブランクとして打ち抜き、所定位置を折り曲げることにより組み立てられる紙製のものである。このスタッキングトレイのブランクは、図９に示すように、中央の底壁２の４つの外周縁に、それぞれ外周壁４Ａ，４Ｂが連設されている。なお、図中、一点鎖線は罫を入れて肉厚を圧縮するようにして形成した折曲線１である。
【０００６】
前記底壁２には、４つの辺のそれぞれに一対の係止孔３Ａ，３Ｂが設けられている。なお、この従来例では、長辺に沿って形成する係止孔３Ａは、後述する外周壁４Ａを係止するためだけに使用され、短辺に沿って形成する係止孔３Ｂは、後述する外周壁４Ｂを係止するとともに、係止部１２を挿入して係止するために使用される。そのため、係止孔３Ａの幅は小さく、係止孔３Ｂの幅は大きく形成されている。
【０００７】
前記外周壁４Ａ，４Ｂは、それぞれ底壁２に連設された外板部５Ａ，５Ｂ、該外板部５Ａ，５Ｂに連設した上板部６Ａ，６Ｂおよび該上板部６Ａ，６Ｂに連設した内板部７Ａ，７Ｂからなる二重構造のものである。前記内板部７Ａ，７Ｂの先端には、対応する係止孔３Ａ，３Ｂに挿入係止される係止突部８Ａ，８Ｂが設けられている。
【０００８】
上下の外周壁４Ａを構成する外板部５Ａには、外周壁４Ｂの外板部５Ｂの内面に位置する第１補強フラップ９が連設されている。さらに、外周壁４Ａの内板部７Ａには、外周壁４Ｂの内板部７Ｂの内面に位置する第２補強フラップ１０が連設されている。
【０００９】
左右の外周壁４Ｂには、前記外板部５Ｂから上板部６Ｂを経て内板部７Ｂにかけて延びる一対の切断線１１，１１が設けられ、これら切断線１１，１１の間に上板部６Ｂより上方に突出する係止部１２が設けられている。この係止部１２には、一対の切断線１１，１１の両端間、および、各板部５Ｂ，６Ｂ，７Ｂとの境界部分に設けた折曲線１，１間の中央に、合計で３本の折曲線１３が設けられている。
【００１０】
このように構成したスタッキングトレイは、外板部５Ａ、上板部６Ａおよび内板部７Ａを折り曲げて係止突部８Ａを係止孔３Ａに係止して外周壁４Ａを形成する。ついで、第１，第２補強フラップ９，１０を内向きに折り曲げた後、これら補強フラップ９，１０を覆うように、外板部５Ｂ、上板部６Ｂおよび内板部７Ｂを折り曲げて係止突部８Ｂを係止孔３Ｂに係止して外周壁４Ｂを形成する。これにより、外周壁４Ｂの係止部１２は、図７に示すように、略逆Ｖ字形状をなすように折り曲げられ、その上部が略水平方向に延びる上板部６Ｂより、上向きに突出する。
【００１１】
そして、このスタッキングトレイの内部に野菜や果実などの商品を収容し、図８（Ａ），（Ｂ）に示すように、他のスタッキングトレイを積み重ねると、前記係止部１２が底壁２の係止孔３Ｂに挿入される。その結果、積み重ねた状態の複数のスタッキングトレイを位置決めし、積み重ね状態を維持することができる。
【発明の開示】
【発明が解決しようとする課題】
【００１２】
しかしながら、前記スタッキングトレイでは、額縁形状に折り曲げる二重壁の間隔、即ち、上板部６Ｂの幅により、該上板部６Ｂから上向きに突出する寸法が必然的に決定されるため、この上板部６Ｂの間隔が小さいものは特に安定性が悪いという問題がある。
【００１３】
そこで、本発明では、係止部の突出量の設定の自由度を向上し、安定して多段に積み重ねることが可能なスタッキングトレイを提供することを課題とするものである。
【課題を解決するための手段】
【００１４】
前記課題を解決するため、本発明のスタッキングトレイは、底壁の外周縁に、外板部、該外板部に連設した上板部および該上板部に連設した内板部からなる二重構造の外周壁を設けるとともに、該外周壁の所定位置に、前記外板部から内板部にかけて延びる一対の切断線を設け、これら切断線の間に前記上板部より上方に突出する係止部を設ける一方、前記底壁に前記係止部と対応する係止孔を設けたスタッキングトレイにおいて、前記係止部に切起用の切断線を設け、該係止部に上向きに延びる係止用切起部を更に設けた構成としている。
【発明の効果】
【００１５】
本発明のスタッキングトレイでは、係止部に上向きに延びる係止用切起部を設けているため、積み重ねた状態での安定性を向上することができる。しかも、切起用切断線の設計により、上板部の幅に拘わらず前記係止用切起部の突出量を変更および調整が可能であるため、設計の自由度を向上することができる。
【発明を実施するための最良の形態】
【００１６】
以下、本発明の実施の形態を図面に従って説明する。
【００１７】
図１から図３は、本発明の第１実施形態に係るスタッキングトレイを示す。このスタッキングトレイは、底壁２に形成した係止孔３Ｂに係止する係止部２０の構成を変更した点でのみ、図７から図９に示す従来例と相違している。そのため、従来と同一の構成には同一符号を付して詳細な説明は省略する。
【００１８】
第１実施形態の係止部２０は、図３（Ａ），（Ｂ）に示すように、従来と同様に、外板部５Ｂから上板部６Ｂを経て内板部７Ｂにかけて平行に延びる一対の切断線２１，２１が設けられ、これら切断線２１，２１の間に設けられている。そして、一対の切断線２１，２１の両端間、および、各板部５Ｂ，６Ｂ，７Ｂとの境界部分に設けた折曲線１，１間の中央には、折曲線２２ａ，２２ｂが設けられている。
【００１９】
この係止部２０の中央部には、略凹字形状をなす切起用切断線２３が設けられ、この切起用切断線２３内に、組立状態で上板部６Ｂより上向きに延びる係止用切起部２４が更に設けられている。具体的には、前記切起用切断線２３は、中央に形成した折曲線２２ｂから内板部７Ｂに向けて延びる一対の第１切断部２３ａ，２３ａと、これら第１切断部２３ａ，２３ａの先端間に設けた第２切断部２３ｂとからなる。そして、この切起用切断線２３の両端間である第１切断部２３ａ，２３ａの間には、前記折曲線２２ｂは設けない構成としている。言い換えれば、この係止部２０は、その中央に略凹字形状をなす切起用切断線２３を設け、該切起用切断線２３の両端から折曲線１と平行に延びるように外向きに折曲線２２ｂが設けられている。
【００２０】
この係止部２０を形成したスタッキングトレイは、従来と同様にして組み立てると、図１（Ａ），（Ｂ），（Ｃ）に示すように、上板部６Ｂの幅に応じた寸法のみ突出する従来の係止部１２と略同様の基部２０ａから、突片状の係止用切起部２４が更に突出する。
【００２１】
そのため、このスタッキングトレイの内部に野菜や果実などの商品を収容し、図２（Ａ），（Ｂ）に示すように、他のスタッキングトレイを積み重ねると、前記係止部２０が底壁２の係止孔３Ｂに挿入され、前記係止用切起部２４が更に深く差し込まれた状態をなす。そのため、積み重ねた上側のスタッキングトレイを位置決めし、確実に積み重ね状態を維持できる。しかも、切起用切断線２３を構成する第２切断部２３ｂの位置を変更することにより、上板部６Ｂの幅の設定に拘わらず、前記係止用切起部２４の突出量の変更および調整が可能であるため、設計の自由度を向上できるとともに、係止（積み重ね状態）に係る安定性を向上することができる。言い換えれば、二重構造をなす外周壁４Ａ，４Ｂの幅、即ち、上板部６Ａ，６Ｂの幅を小さくすることが可能になるため、スタッキングトレイを形成するためのブランクの小型化を図ることができる。
【００２２】
図４から図６は第２実施形態のスタッキングトレイを示す。このスタッキングトレイは、係止部３０を形成するための切断線３１の構造、および、切起用切断線３３の構造を変更した点で第１実施形態と相違している。
【００２３】
具体的には、第２実施形態の係止部３０は、図６（Ａ），（Ｂ）に示すように、一対の切断線３１を、外板部５Ｂから内板部７Ｂとの境界部分にかけて互いに近接するように延びる第１切断部３１ａ，３１ａと、これら第１切断部３１ａ，３１ａから互いに離間するように内板部７Ｂ内に延びる第２切断部３１ｂ，３１ｂとで構成している。そして、一対の切断線３１，３１の両端間、および、各板部５Ｂ，６Ｂ，７Ｂとの境界部分に設けた折曲線１，１間の中央には、折曲線３２ａ，３２ｂが設けられている。
【００２４】
この係止部３０の中央部には、対称な略Ｌ字形状をなす一対の切起用切断線３３，３３が設けられ、これら切起用切断線３３，３３により、組立状態で上板部６Ｂより上向きに延びる一対の係止用切起部３４，３４が更に設けられている。具体的には、前記切起用切断線３３は、中央に形成した折曲線３２ｂから内板部７Ｂとの境界部分に向けて延びる一対の第１切断部３３ａ，３３ａと、これら第１切断部３３ａ，３３ａの先端から折曲線１と直線的に連続するように外向きに延びるように設けた第２切断部３３ｂ，３３ｂとからなる。そして、この切起用切断線３３の両端より外側には、前記折曲線３２ｂは設けない構成としている。言い換えれば、この係止部３０は、その中央に対称な略Ｌ字形状をなす一対の切起用切断線３３，３３を設け、これら切起用切断線３３，３３の両端間にのみ折曲線１と平行に延びるように折曲線３２ｂが設けられている。
【００２５】
この係止部３０を形成した第２実施形態のスタッキングトレイは、従来と同様にして組み立てると、図４（Ａ），（Ｂ），（Ｃ）に示すように、上板部６Ｂの幅に応じた寸法のみ突出する従来の係止部１２と略同様の基部３０ａから、突片状をなす一対の係止用切起部３４，３４が更に突出する。そして、本実施形態では、基部３０ａを含む前記係止用切起部３４は、前記切断線３１を構成する切断部３１ａ，３１ｂの傾斜により、外形が台形状をなすように突出する。
【００２６】
そのため、このスタッキングトレイの内部に野菜や果実などの商品を収容し、図５（Ａ），（Ｂ）に示すように、他のスタッキングトレイを積み重ねると、第１実施形態と同様に、前記係止部３０が底壁２の係止孔３Ｂに挿入され、前記係止用切起部３４が更に深く差し込まれた状態をなし、第１実施形態と同様の作用および効果を得ることができる。しかも、積み重ねる際には、係止用切起部３４の上端縁の寸法が係止孔３Ｂより小さくなっているため、作業性を損なうことを防止できる。
【００２７】
なお、本発明のスタッキングトレイは、前記実施形態の構成に限定されるものではなく、種々の変更が可能である。
【００２８】
例えば、第２実施形態では、傾斜した切断部３１ａ，３１ｂからなる一対の切断線３１により係止部３０を形成したが、第１実施形態と同様に互い平行な切断線２１，２１より構成してもよい。
【００２９】
また、前記実施形態では、対向する外周壁４Ｂ，４Ｂに一対の係止部２０，３０を設けたが、外周壁４Ａ，４Ａに設けてもよいうえ、両方に設けてもよい。即ち、係止部２０，３０の係止位置および数は、希望に応じて変更が可能である。
【図面の簡単な説明】
【００３０】
【図１】（Ａ）は本発明の第１実施形態に係るスタッキングトレイを示す斜視図、（Ｂ），（Ｃ）は（Ａ）の要部拡大斜視図である。
【図２】（Ａ），（Ｂ）は第１実施形態のスタッキングトレイを積み重ねる状態を示す要部断面図である。
【図３】（Ａ）は第１実施形態のスタッキングトレイのブランクを示す平面図、（Ｂ）は（Ａ）の要部拡大平面図である。
【図４】（Ａ）は本発明の第２実施形態に係るスタッキングトレイを示す斜視図、（Ｂ），（Ｃ）は（Ａ）の要部拡大斜視図である。
【図５】（Ａ），（Ｂ）は第２実施形態のスタッキングトレイを積み重ねる状態を示す要部断面図である。
【図６】（Ａ）は第２実施形態のスタッキングトレイのブランクを示す平面図、（Ｂ）は（Ａ）の要部拡大平面図である。
【図７】従来のスタッキングトレイを示す斜視図である。
【図８】（Ａ），（Ｂ）は従来のスタッキングトレイを積み重ねる状態を示す要部断面図である。
【図９】（Ａ）は従来のスタッキングトレイのブランクを示す平面図、（Ｂ）は（Ａ）の要部拡大平面図である。
【符号の説明】
【００３１】
２…底壁
３Ａ，３Ｂ…係止孔
４Ａ，４Ｂ…外周壁
５Ａ，５Ｂ…外板部
６Ａ，６Ｂ…上板部
７Ａ，７Ｂ…内板部
２０，３０…係止部
２１，３１…切断線
２３，３３…切起用切断線
２４，３４…係止用切起部
【図１】
2005170419.tif 000003
【図２】
2005170419.tif 000004
【図３】
2005170419.tif 000005
【図４】
2005170419.tif 000006
【図５】
2005170419.tif 000007
【図６】
2005170419.tif 000008
【図７】
2005170419.tif 000009
【図８】
2005170419.tif 000010
【図９】
2005170419.tif 000011